(57)【要約】本発明は、水不溶性無機粉体（Ａ）（ただし、ハイドロタルサイト類を除く。）と、飽和水溶液のｐＨが７〜１２である水溶性無機金属塩化合物（Ｂ）とを含有し、前記（Ａ）成分はタルクを含み、前記（Ａ）成分に対する前記タルクの含有量は５０質量％以上である粉末消臭剤組成物に関する。
2019244928.tif 000002
【特許請求の範囲】
【請求項１】
水不溶性無機粉体（Ａ）（ただし、ハイドロタルサイト類を除く。）と、飽和水溶液のｐＨが７〜１２である水溶性無機金属塩化合物（Ｂ）とを含有し、
前記（Ａ）成分はタルクを含み、
前記（Ａ）成分の総質量に対する前記タルクの含有量は５０質量％以上である、粉末消臭剤組成物。
【請求項２】
前記（Ａ）成分／前記（Ｂ）成分で表される質量比は１〜１０である、請求項１に記載の粉末消臭剤組成物。
【請求項３】
ハイドロタルサイト類（Ｃ）をさらに含有する、請求項１又は２に記載の粉末消臭剤組成物。
【請求項４】
消臭剤、除菌剤、抗菌剤、冷感剤、及び温感剤からなる群から選ばれる少なくとも１種の有機化合物（Ｄ）をさらに含有する、請求項１〜３のいずれか一項に記載の粉末消臭剤組成物。
【請求項５】
請求項１〜４のいずれか一項に記載の粉末消臭剤組成物と、容器とを有し、前記容器は、前記粉末消臭剤組成物を収容している、粉末消臭剤組成物製品。
【請求項６】
前記容器は、上端に開口部を有する容器本体と、前記開口部を塞ぐ中栓とを有し、
前記中栓は、前記容器本体の内外を連通する１つ以上の貫通孔を有し、
前記容器を倒立し、前記容器本体内の前記粉末消臭剤組成物を前記貫通孔から前記容器本体外へ排出する、請求項５に記載の粉末消臭剤組成物製品。
【請求項７】
請求項１〜４のいずれか一項に記載の粉末消臭剤組成物を、処理対象物に散布することを含む、消臭方法。
【発明の詳細な説明】
【技術分野】
【０００１】
本発明は、粉末消臭剤組成物、粉末消臭剤組成物製品、及び消臭方法に関する。
本願は、２０１８年６月２２日に、日本に出願された特願２０１８−１１９０７１号に基づき優先権を主張し、その内容をここに援用する。
【背景技術】
【０００２】
臭気に対する意識の高まりから、消臭を目的としたケア用品が使用されている。ケア用品としては、例えば、液体の消臭剤組成物をトリガースプレー容器又はエアゾール容器に封入した製品が汎用されている。
しかし、液体の消臭剤組成物は、革製品又は繊維製品等の処理対象物に付着した臭気に対する消臭効果が低かった。
こうした問題に対して、靴等の消臭を目的とした粉末消臭剤組成物が提案されている（特許文献１〜４）。
【先行技術文献】
【特許文献】
【０００３】
【特許文献１】特開昭６１−２７６５６０号公報
【特許文献２】特開昭６３−１０１２０１号公報
【特許文献３】特開平３−５７４５５号公報
【特許文献４】特開平６−２１８０３１号公報
【発明の概要】
【発明が解決しようとする課題】
【０００４】
しかしながら、従来の粉末消臭剤組成物は、消臭効果を未だ満足できるものではなかった。加えて、処理対象物の内部や表面に対して、速やかに拡散するように、粉末消臭剤組成物には、使用時の高い流動性が求められる。さらに、粉末消臭剤組成物には、保管中に固化しにくいことが求められる。
そこで、本発明は、固化しにくく、流動性に優れ、かつ消臭効果をより高められる粉末消臭剤組成物を目的とする。
【課題を解決するための手段】
【０００５】
本発明は以下の態様を有する。
［１］水不溶性無機粉体（Ａ）（ただし、ハイドロタルサイト類を除く。）と、飽和水溶液のｐＨが７〜１２である水溶性無機金属塩化合物（Ｂ）とを含有し、
前記（Ａ）成分はタルクを含み、
前記（Ａ）成分の総質量に対する前記タルクの含有量は５０質量％以上である、粉末消臭剤組成物。
［２］［（Ａ）成分の質量］／［（Ｂ）成分の質量］で表される質量比は１〜１０である、［１］に記載の粉末消臭剤組成物。
［３］ハイドロタルサイト類（Ｃ）をさらに含有する、［１］又は［２］に記載の粉末消臭剤組成物。
［４］消臭剤、除菌剤、抗菌剤、冷感剤、及び温感剤からなる群から選ばれる少なくとも１種の有機化合物（Ｄ）をさらに含有する、［１］〜［３］のいずれか一項に記載の粉末消臭剤組成物。
［５］前記（Ａ）成分がさらにゼオライト、シリカ、銀担持ゼオライト、酸化亜鉛、及び炭酸カルシウムからなる群から選択される少なくとも１種の多孔質物質を含む、［１］〜［４］のいずれか一項に記載の粉末消臭剤組成物。
［６］［タルクの質量］／［多孔質物質の質量］で表される質量比は、５〜１００が好ましく、５〜７０がより好ましい、［５］に記載の粉末消臭剤組成物。
［７］［（Ａ）成分の質量］／［（Ｂ）成分の質量］で表される質量比は１〜１０が好ましく、１．２〜８がより好ましく、１．５〜６がさらに好ましい、［１］〜［６］のいずれか一項に記載の粉末消臭剤組成物。
［８］ハイドロタルサイト類（Ｃ）をさらに含有し、
［（Ａ）成分の質量］／［（Ｃ）成分の質量］で表される質量比は１〜２０が好ましく、１．２〜１７がより好ましく、１．５〜１５がさらに好ましい、［１］〜［７］のいずれか一項に記載の粉末消臭剤組成物。
［９］ハイドロタルサイト類（Ｃ）をさらに含有し、
［（Ｂ）成分の質量］／［（Ｃ）成分の質量］で表される質量比は１〜１０が好ましく、１．２〜８がより好ましく、１．５〜６がさらに好ましい、［１］〜［８］のいずれか一項に記載の粉末消臭剤組成物。
［１０］タルクの平均粒子径は、０．１〜５００μｍが好ましく、１〜２５０μｍがより好ましく、１０〜１５０μｍがさらに好ましく、１０〜７５μｍがさらに好ましく、１０〜５０μｍが特に好ましい、［１］〜［９］のいずれか一項に記載の粉末消臭剤組成物。
［１１］前記（Ａ）成分の平均粒子径は、０．１〜５００μｍが好ましく、１〜２５０μｍがより好ましく、１０〜１５０μｍがさらに好ましく、１０〜７５μｍがさらに好ましい、［１］〜［１０］のいずれか一項に記載の粉末消臭剤組成物。
［１２］前記（Ｂ）成分の平均粒子径は、０．１〜５００μｍが好ましく、１〜４００μｍがより好ましく、１０〜３００μｍがさらに好ましく１００〜３００μｍがさらに好ましい、［１］〜［１１］のいずれか一項に記載の粉末消臭剤組成物。
［１３］ハイドロタルサイト類（Ｃ）をさらに含有し、
前記（Ｃ）成分の平均粒子径は、１〜５００μｍが好ましく、１〜２５０μｍがより好ましい、［１］〜［１２］のいずれか一項に記載の粉末消臭剤組成物。
［１４］平均粒子径が、１〜５００μｍが好ましく、１０〜２５０μｍが好ましく、１０〜１５０μｍがさらに好ましい、［１］〜［１３］のいずれか一項に記載の粉末消臭剤組成物。
［１５］［（Ｂ）成分の平均粒子径］／［（Ａ）成分の平均粒子径］で表される粒子径比は、０．５〜５０が好ましく、１〜２０がより好ましい、［１］〜［１４］のいずれか一項に記載の粉末消臭剤組成物。
［１６］ハイドロタルサイト類（Ｃ）をさらに含有し、
［（Ｂ）成分の平均粒子径］／［（Ｃ）成分の平均粒子径］で表される粒子径比は、０．５〜２０が好ましく、１〜１０がより好ましい、［１］〜［１５］のいずれか一項に記載の粉末消臭剤組成物。
［１７］ハイドロタルサイト類（Ｃ）をさらに含有し、［（Ｃ）成分の平均粒子径］／［（Ａ）成分の平均粒子径］で表される粒子径比は、０．５〜２０が好ましく、１〜１５がより好ましい、［１］〜［１６］のいずれか一項に記載の粉末消臭剤組成物。
［１８］前記（Ａ）成分の含有量は、粉末消臭剤組成物の総質量に対して、３０〜９５質量％が好ましく、５０〜９０質量％がより好ましい、［１］〜［１７］のいずれか一項に記載の粉末消臭剤組成物。
［１９］前記（Ｂ）成分の含有量は、粉末消臭剤組成物の総質量に対して、５〜７０質量％が好ましく、１０〜６０質量％がより好ましく、１５〜５０質量％がさらに好ましい、［１］〜［１８］のいずれか一項に記載の粉末消臭剤組成物。
［２０］前記（Ａ）成分と前記（Ｂ）成分との合計の含有量は、粉末消臭剤組成物の総質量に対して、５０質量％以上１００質量％が好ましく、７０質量％以上１００質量％未満がより好ましく、７０〜９５質量％がさらに好ましい、［１］〜［１９］のいずれか一項に記載の粉末消臭剤組成物。
［２１］ハイドロタルサイト類（Ｃ）をさらに含有し、
前記（Ｃ）成分の含有量は、粉末消臭剤組成物の総質量に対して、０．０１〜２０質量％が好ましく、０．１〜１５質量％がより好ましく、０．５〜１０質量％がさらに好ましい、［１］〜［２０］のいずれか一項に記載の粉末消臭剤組成物。
［２１］消臭剤、除菌剤、抗菌剤、冷感剤、及び温感剤からなる群から選ばれる少なくとも１種の有機化合物（Ｄ）をさらに含有し、
前記（Ｄ）成分の含有量は、粉末消臭剤組成物の総質量に対して、０．００１〜２０質量％が好ましく、０．００１〜１０質量％がより好ましく、０．０１〜１０質量％がさらに好ましい、［１］〜［２０］のいずれか一項に記載の粉末消臭剤組成物。
［２２］前記（Ａ）成分が、（Ａ１）成分、（Ａ２）成分、及び（Ａ３）成分からなる群から選択される少なくとも１種を含み、
前記（Ａ１）成分が、タルク、カオリン、雲母、セリサイト、白雲母、金雲母、紅雲母、黒雲母、リチア雲母、バーミキュライト、シリカ、ゼオライト、焼セッコウ、フッ素アパタイト、ヒドロキシアパタイト、酸化チタン、酸化鉄、炭酸マグネシウム、及び炭酸カルシウムからなる群から選択される少なくとも１種であり、
前記（Ａ２）成分が、酸化亜鉛、鉛白、リトポン、二酸化チタン、及び硫酸バリウムからなる群から選択される少なくとも１種であり、
前記（Ａ３）成分が、銀担持ゼオライト、酸化マグネシウム、酸化ジルコニウム、水酸化クロム、及びセラミックパウダーからなる群から選択される少なくとも１種である、［１］〜［２１］のいずれか一項に記載の粉末消臭剤組成物。
［２３］前記（Ｂ）成分が、重炭酸カリウム、炭酸カリウム、炭酸水素ナトリウム、炭酸ナトリウム、水酸化カルシウム、リン酸水素二ナトリウム、リン酸二水素ナトリウム、リン酸水素二カリウム、及びリン酸二水素カリウムからなる群から選択される少なくとも１種である、［１］〜［２２］のいずれか一項に記載の粉末消臭剤組成物。
［２４］ハイドロタルサイト類（Ｃ）をさらに含有し、
前記（Ｃ）成分が、ハイドロタルサイト、ハイドロタルサイトの焼成物からなる無機化合物、及び前記無機化合物が酸性基及び塩基性基を有する金属塩に担持された金属複合体からなる群から選択される少なくとも１種である、［１］〜［２３］のいずれか一項に記載の粉末消臭剤組成物。
［２５］ハイドロタルサイト類（Ｃ）をさらに含有し、
前記（Ｃ）成分が、酸化マグネシウムと酸化アルミニウムの固溶体であり、酸化マグネシウムと酸化アルミニウムとの質量比は、９０：１０〜２０：８０が好ましく、８０：２０〜３０：７０がより好ましく、７０：３０〜４０：６０がさらに好ましい、［１］〜［２４］のいずれか一項に記載の粉末消臭剤組成物。
［２６］消臭剤、除菌剤、抗菌剤、冷感剤、及び温感剤からなる群から選ばれる少なくとも１種の有機化合物（Ｄ）をさらに含有し、
前記（Ｄ）成分が、高度分岐環状デキストリン、シクロデキストリン、塩化ベンザルコニウム、ジデシルジメチルアンモニウムクロライド、ダイクロサン、トリクロサン、ビス−（２−ピリジルチオ−１−オキシド）亜鉛、ポリヘキサメチレンビグアニジン塩酸塩、８−オキシキノリン、ポリリジン、塩酸クロロヘキシジン、１，３，５−トリアジン−１，３，５−トリエタノール、１，３，５−トリメチルヘキサヒドロ−１，３，５−トリアジン、メントール、メントン、カンファー、プレゴール、イソプレゴール、シネオール、ハッカオイル、ペパーミントオイル、スペアーミントオイル、ユーカリプタスオイル、３−ｌ−メントキシプロパン−１，２−ジオール、Ｎ−アルキル−ｐ−メンタン−３−カルボキサミド、３−ｌ−メントキシ−２−メチルプロパン−１，２−ジオール、ｐ−メンタン−３，８−ジオール、２−ｌ−メントキシエタン−１−オール、３−ｌ−メントキシプロパン−１−オール、４−ｌ−メントキシブタン−１−オール（３−ヒドロキシブタン酸メンチル）、乳酸メンチル、メントールグリセリンケタール、Ｎ−メチル−２，２−イソプロピルメチル−３−メチルブタンアミド、グリオキシル酸メンチル、カプサイシン、バニリルエチルエーテル、バニリルプロピルエーテル、バニリンプロピレングリコールアセタール、エチルバニリンプロピレングリコールアセタール、ギンゲロール、バニリルブチルエーテル、４−（ｌ−メントキシメチル）−２−（３’−メトキシ−４’−ヒドロキシフェニル）−１，３−ジオキソラン、トウガラシ油、トウガラシオレオレジン、ジンジャーオレオレジン、ノニル酸バニリルアミド、ジャンブーオレオレジン、サンショウエキス、サンショール−Ｉ、サンショール−ＩＩ、サンショウアミド、黒胡椒エキス、カビシン、ピペリン、およびスピラントールからなる群から選択される少なくとも１種である、［１］〜［２５］のいずれか一項に記載の粉末消臭剤組成物。
［２７］  粉末消臭剤組成物の総質量に対し、粒子径が５０μｍ以下の粒子を３０質量以上１００質量％未満で含むことが好ましく、５０〜９０質量％で含むことがより好ましく、７０〜９０質量％で含むことがさらに好ましい、［１］〜［２６］のいずれか一項に記載の粉末消臭剤組成物。
［２８］嵩密度は、０．３〜１．０ｇ／ｃｍ３が好ましく、０．５〜０．８ｇ／ｃｍ３がより好ましく、０．６〜０．７５ｇ／ｃｍ３がさらに好ましい、［１］〜［２７］のいずれか一項に記載の粉末消臭剤組成物。【０００６】
［２９］［１］〜［２８］のいずれかに記載の粉末消臭剤組成物と、容器とを有し、前記容器は、前記粉末消臭剤組成物を収容している、粉末消臭剤組成物製品。
［３０］前記容器は、上端に開口部を有する容器本体と、前記開口部を塞ぐ中栓とを有し、
前記中栓は、前記容器本体の内外を連通する１つ以上の貫通孔を有し、
前記容器を倒立し、前記容器本体内の前記粉末消臭剤組成物を前記貫通孔から前記容器本体外へ排出する、［２９］に記載の粉末消臭剤組成物製品。【０００７】
［３１］［１］〜［２８］のいずれかに記載の粉末消臭剤組成物を、処理対象物に散布することを含む、消臭方法
【発明の効果】
【０００８】
本発明の粉末消臭剤組成物によれば、固化しにくく、流動性に優れ、かつ消臭効果をより高められる。
【図面の簡単な説明】
【０００９】
【図１】本発明の一実施形態に係る容器の部分断面図である。
【発明を実施するための形態】
【００１０】
（粉末消臭剤組成物）
本発明の粉末消臭剤組成物は、（Ａ）〜（Ｂ）成分を含有する。
本明細書において「粉末」とは、粉末消臭剤組成物を構成する粒子が０．１〜１０００μｍの粒子径を有することを意味する。
粉末消臭剤組成物の含水量は、粉末消臭剤組成物の総質量に対して、８質量％以下が好ましく、５質量％以下がより好ましい。なお、含水量の下限値は、通常、０質量％である。
【００１１】
粉末消臭剤組成物の平均粒子径は、１〜５００μｍが好ましく、１０〜２５０μｍが好ましく、１０〜１５０μｍがさらに好ましい。平均粒子径が上記下限値以上であれば、粉体消臭剤組成物が舞い上がるのを抑制できる。平均粒子径が上記上限値以下であれば、比表面積が大きくなるため、粉末消臭剤組成物の消臭効果をさらに高められる。さらに、粉末消臭剤組成物で処理対象物を処理した後に、処理対象物の感触がざらざらしにくく、処理後の処理対象物の使用感を良好にできる。
平均粒子径は、レーザ回折式粒度分布測定装置（ＢＥＣＫＭＡＮ  ＣＯＵＬＴＥＲ社製  ＬＳ  １３  ３２０）により測定される体積平均粒子径（Ｄ５０）である。
【００１２】
粉末消臭剤組成物の嵩密度は、０．３〜１．０ｇ／ｃｍ３が好ましく、０．５〜０．８ｇ／ｃｍ３がより好ましく、０．６〜０．７５ｇ／ｃｍ３がさらに好ましい。嵩密度が上記下限値以上であれば、粉末消臭剤組成物の舞い上がりを抑制できる。嵩密度が上記上限値以下であれば、使用時の体積が大きくなり、消臭対象物の全体に粉が行きわたるため、消臭効果がさらに高まる。
嵩密度は、ＪＩＳ  Ｋ３３６２：１９９８に準拠して測定される。
【００１３】
＜（Ａ）成分＞
（Ａ）成分は、ハイドロタルサイト類を除く水不溶性無機粉体である。（Ａ）成分を含有することで、粉末消臭剤組成物が固化するのを抑制できる。
「水不溶性無機粉体」とは、２０℃の水に対する溶解度が０．５ｇ／Ｌ以下の無機粉体である。
（Ａ）成分としては、例えば、粉末鉱物（（Ａ１）成分）、無機顔料（（Ａ２）成分）、機能性無機粉末及びその他無機粉末（（Ａ３）成分）が挙げられる。（Ａ）成分は、タルクを５０質量％以上含む。
（Ａ１）成分としては、タルク、カオリン、雲母、セリサイト、白雲母、金雲母、紅雲母、黒雲母、リチア雲母、バーミキュライト、シリカ、ゼオライト、焼セッコウ、フッ素アパタイト、ヒドロキシアパタイト、酸化チタン、酸化鉄、炭酸マグネシウム、炭酸カルシウム等が挙げられる。
（Ａ２）成分としては、酸化亜鉛、鉛白、リトポン、二酸化チタン、硫酸バリウム等が挙げられる。
（Ａ３）成分としては、銀担持ゼオライト、酸化マグネシウム、酸化ジルコニウム、水酸化クロム、セラミックパウダー等が挙げられる。
【００１４】
（Ａ）成分は、タルクを含む。タルク（和名：滑石）は含水珪酸マグネシウム（Ｍｇ３Ｓｉ４Ｏ１０（ＯＨ）２）からなる層状鉱物である。タルクは、粉砕されると白色又は灰色をした粉体となる。
（Ａ）成分中のタルクの含有量は、（Ａ）成分１００質量％に対して、５０質量％以上であり、６０質量％以上が好ましく、７０質量％以上がより好ましく、８０質量％以上がさらに好ましく、１００質量％でもよい。（Ａ）成分中のタルクの含有量が上記下限値以上であれば、流動性に優れる。具体的には、（Ａ）成分中のタルクの含有量は、（Ａ）成分１００質量％に対して、５０〜１００質量％が好ましく、５０〜９９質量％がより好ましく、６０〜９８質量％がさらに好ましい。
これらの（Ａ）成分は、１種単独でもよいし、２種以上の組み合わせでもよい。
【００１５】
（Ａ）成分を２種以上組み合わせる場合、タルクと多孔質物質を組み合わせることが好ましく、また、多孔質物質は金属を担持していてもよい。多孔質物質としては、ゼオライト、シリカ、銀担持ゼオライト、酸化亜鉛、及び炭酸カルシウム等が挙げられる。タルクと多孔質物質との具体的組み合わせとしては、タルクとゼオライトとの組み合わせ、タルクとシリカとの組み合わせ、タルクとゼオライトとシリカとの組み合わせ、タルクと銀担持ゼオライトとの組み合わせ、タルクとゼオライトと銀担持ゼオライトの組み合わせ、タルクと銀担持ゼオライトとシリカとの組み合わせ、タルクと酸化亜鉛との組み合わせ、タルクと炭酸カルシウムとの組み合わせ等があげられる。中でも、（Ａ）成分としては、タルクとゼオライトの組み合わせ、タルクと銀担持ゼオライトとの組み合わせ、タルクとゼオライトと銀担持ゼオライトとの組み合わせ、タルクと銀担持ゼオライトとシリカとの組み合わせが好ましく、タルクと銀担持ゼオライトとの組み合わせ、タルクとゼオライトと銀担持ゼオライトとの組み合わせがより好ましい。これらの組み合わせであれば、消臭効果のさらなる向上を図れる。
タルクと多孔質物質を組み合わせる場合、［タルクの質量］／［多孔質物質の質量］で表される質量比は、５〜１００が好ましく、５〜７０がより好ましい。前記質量比が上記範囲内であれば、消臭効果と流動性との両方を向上しやすい。
【００１６】
タルクの平均粒子径は、０．１〜５００μｍが好ましく、１〜２５０μｍがより好ましく、１０〜１５０μｍがさらに好ましく、１０〜７５μｍがさらに好ましく、１０〜５０μｍが特に好ましい。平均粒子径が上記範囲内であれば、固化を抑制しやすくなる。
【００１７】
（Ａ）成分の平均粒子径は、例えば、０．１〜５００μｍが好ましく、１〜２５０μｍがより好ましく、１０〜１５０μｍがさらに好ましく、１０〜７５μｍがさらに好ましい。平均粒子径が上記下限値以上であれば、粉末消臭剤組成物が舞い上がるのを抑制できる。平均粒子径が上記上限値以下であれば、比表面積が大きくなるため、粉末消臭剤組成物の消臭効果をさらに高められる。さらに、粉末消臭剤組成物で処理した処理対象物において、ざらざらとした不快感を抑制できる（即ち、処理後の処理対象物の使用感を良好にできる）。
【００１８】
粉末消臭剤組成物中の（Ａ）成分の含有量は、粉末消臭剤組成物の総質量（１００質量％）に対して、３０〜９５質量％が好ましく、５０〜９０質量％がより好ましい。（Ａ）成分の含有量が上記下限値以上であれば、粉体消臭剤組成物をさらに固化しにくくできる。（Ａ）成分の含有量が上記上限値以下であれば、流動性をさらに高められる。
【００１９】
＜（Ｂ）成分＞
（Ｂ）成分は、水溶性無機金属塩化合物である。（Ｂ）成分を含有することで、粉末消臭剤組成物が高い消臭効果を発揮する。加えて、（Ｂ）成分を含有することで、粉末消臭剤組成物の流動性を高められる。
「水溶性無機粉体」とは、２０℃の水に対する溶解度が１ｇ／Ｌ超の無機粉体である。
【００２０】
（Ｂ）成分の飽和水溶液のｐＨは、７〜１２であり、７．５〜１１が好ましい。飽和水溶液のｐＨが上記範囲内であれば、粉末消臭剤組成物が消臭効果を発揮できる。ｐＨは、測定対象を２５℃とし、ｐＨメーター（製品名：ＨＭ−３０Ｇ、東亜ディーケーケー株式会社製）により測定される値である。
【００２１】
（Ｂ）成分としては、重炭酸カリウム、炭酸カリウム、炭酸水素ナトリウム、炭酸ナトリウム、水酸化カルシウム、リン酸水素二ナトリウム、リン酸二水素ナトリウム、リン酸水素二カリウム、リン酸二水素カリウム等が挙げられる。これらの（Ｂ）成分は、１種単独でもよいし、２種以上の組み合わせでもよい。
【００２２】
（Ｂ）成分の平均粒子径は、例えば、０．１〜５００μｍが好ましく、１〜４００μｍがより好ましく、１０〜３００μｍがさらに好ましく１００〜３００μｍがさらに好ましい。平均粒子径が上記下限値以上であれば、粉末消臭剤組成物の流動性をさらに高められ、固化をより良好に抑制できる。平均粒子径が上記上限値以下であれば、比表面積が大きくなるため、粉末消臭剤組成物の消臭効果をさらに高められ、使用感を良好にできる。
【００２３】
粉末消臭剤組成物中の（Ｂ）成分の含有量は、粉末消臭剤組成物の総質量に対して、５〜７０質量％が好ましく、１０〜６０質量％がより好ましく、１５〜５０質量％がさらに好ましい。（Ｂ）成分の含有量が上記下限値以上であれば、消臭効果をさらに高め、粉末消臭剤組成物の流動性をさらに高められる。（Ｂ）成分の含有量が上記上限値以下であれば、粉末消臭剤組成物が固化するのをさらに良好に抑制できる。
【００２４】
（Ａ）成分／（Ｂ）成分で表される質量比（以下、「Ａ／Ｂ比」ともいう）は、１〜１０が好ましく、１．２〜８がより好ましく、１．５〜６がさらに好ましい。Ａ／Ｂ比が上記下限値以上であれば、粉末消臭剤組成物が固化するのをさらに抑制しやすい。Ａ／Ｂ比が上記上限値以下であれば、粉末消臭剤組成物の流動性をさらに高められる。
【００２５】
［（Ｂ）成分の平均粒子径］／［（Ａ）成分の平均粒子径］で表される粒子径比（以下、「Ｂ粒子径／Ａ粒子径比」ともいう）は、０．５〜５０が好ましく、１〜２０がより好ましい。Ｂ粒子径／Ａ粒子径比が上記下限値以上であれば、粉末消臭剤組成物が固化するのをさらに抑制しやすい。Ｂ粒子径／Ａ粒子径比が上記上限値以下であれば、粉末消臭剤組成物の流動性をさらに高められる。
【００２６】
粉末消臭剤組成物中の（Ａ）成分と（Ｂ）成分との合計量は、粉末消臭剤組成物の総質量に対して、５０〜１００質量％が好ましく、７０〜１００質量％がより好ましく、７０〜９５質量％がさらに好ましい。
【００２７】
＜任意成分＞
粉末消臭剤組成物は、（Ａ）〜（Ｂ）成分以外の任意成分を含有できる。
任意成分としては、ハイドロタルサイト類（（Ｃ）成分）、消臭剤、除菌剤及び抗菌剤からなる群から選ばれる少なくとも１種の有機化合物（（Ｄ）成分）、香料等が挙げられる。
【００２８】
（Ｃ）成分は、ハイドロタルサイト類である。（Ｃ）成分を含有することで、粉末消臭剤組成物は消臭効果をさらに高められる。
本稿において、（Ｃ）成分としては、ハイドロタルサイト、ハイドロタルサイトの焼成物からなる無機化合物、及び前記無機化合物が酸性基及び塩基性基を有する金属塩に担持された金属複合体等が挙げられる。なかでも、ハイドロタルサイトの焼成物からなる無機化合物が好ましく、酸化マグネシウムと酸化アルミニウムとの固溶体であることがより好ましい。
（Ｃ）成分が酸化マグネシウムと酸化アルミニウムとの固溶体である場合、酸化マグネシウムと酸化アルミニウムとの質量比は、９０：１０〜２０：８０が好ましく、８０：２０〜３０：７０がより好ましく、７０：３０〜４０：６０がさらに好ましい。
これらの（Ｃ）成分は、１種単独でもよいし、２種以上の組み合わせでもよい。
【００２９】
（Ｃ）成分の平均粒子径は、１〜５００μｍが好ましく、１〜２５０μｍがより好ましい。
【００３０】
粉末消臭剤組成物中の（Ｃ）成分の含有量は、粉末消臭剤組成物の総質量に対して、０．０１〜２０質量％が好ましく、０．１〜１５質量％がより好ましく、０．５〜１０質量％がさらに好ましい。（Ｃ）成分の含有量が上記下限値以上であれば、粉末消臭剤組成物の消臭効果をさらに高められる。（Ｃ）成分の含有量が上記上限値以下であれば、流動性をさらに高められる。
【００３１】
［（Ａ）成分の質量］／［（Ｃ）成分の質量］で表される質量比（以下、「Ａ／Ｃ比」ともいう）は、１〜２０が好ましく、１．２〜１７がより好ましく、１．５〜１５がさらに好ましい。Ａ／Ｃ比が上記下限値以上であれば、粉末消臭剤組成物が固化するのをさらに抑制しやすい。Ａ／Ｃ比が上記上限値以下であれば、粉末消臭剤組成物の流動性をさらに高められる。
【００３２】
［（Ｂ）成分の質量］／［（Ｃ）成分の質量］で表される質量比（以下、「Ｂ／Ｃ比」ともいう）は、１〜１０が好ましく、１．２〜８がより好ましく、１．５〜６がさらに好ましい。Ａ／Ｂ比が上記下限値以上であれば、粉末消臭剤組成物が固化するのをさらに抑制しやすい。Ａ／Ｂ比が上記上限値以下であれば、粉末消臭剤組成物の流動性をさらに高められる。
【００３３】
［（Ｂ）成分の平均粒子径］／［（Ｃ）成分の平均粒子径］で表される粒子径比（Ｂ粒子径／Ｃ粒子径比）は、０．５〜２０が好ましく、１〜１０がより好ましい。Ｂ粒子径／Ｃ粒子径比が上記下限値以上であれば、粉末消臭剤組成物が固化するのをさらに抑制しやすい。Ｂ粒子径／Ｃ粒子径比が上記上限値以下であれば、粉末消臭剤組成物の流動性をさらに高められる。
【００３４】
［（Ｃ）成分の平均粒子径］／［（Ａ）成分の平均粒子径］で表される粒子径比（以下、「Ｃ粒子径／Ａ粒子径比」ともいう）は、０．５〜２０が好ましく、１〜１５がより好ましい。Ｃ粒子径／Ａ粒子径比が上記下限値以上であれば、粉末消臭剤組成物が固化するのをさらに抑制しやすい。Ｃ粒子径／Ａ粒子径比が上記上限値以下であれば、粉末消臭剤組成物の流動性をさらに高められる。
【００３５】
（Ｄ）成分は、消臭剤、除菌剤、抗菌剤、冷感剤、及び温感剤からなる群から選ばれる少なくとも１種の有機化合物である。（Ｄ）成分を含有することにより、消臭効果、除菌効果又は抗菌効果を発揮し、粉末消臭剤組成物で処理した繊維製品を着用した時に冷感や温感を付与する。
消臭剤としては、高度分岐環状デキストリン、シクロデキストリン等が挙げられる。
高度分岐環状デキストリンとしては、内分岐環状構造部分と外分岐構造部分とを有する重合度が５０〜１００００の範囲にあるグルカンであって、内分岐環状構造部分はα−１，４−グルコシド結合とα−１，６−グルコシド結合とで形成される環状のグルカン鎖であり、外分岐構造部分は内分岐環状構造部分に結合した非環状のグルカン鎖であるデキストリンが挙げられる。高度分岐環状デキストリンとしては、クラスターデキストリン（グリコ栄養食品株式会社製）等が挙げられる。
除菌剤又は抗菌剤としては、四級アンモニウム塩（塩化ベンザルコニウム、ジデシルジメチルアンモニウムクロライド）、ダイクロサン、トリクロサン、ビス−（２−ピリジルチオ−１−オキシド）亜鉛、ポリヘキサメチレンビグアニジン塩酸塩、８−オキシキノリン、ポリリジン、塩酸クロロヘキシジン、１，３，５−トリアジン−１，３，５−トリエタノール、１，３，５−トリメチルヘキサヒドロ−１，３，５−トリアジン等が挙げられる。
冷感剤とは、皮膚に適用することで冷感を付与する成分であり、メントール、メントン、カンファー、プレゴール、イソプレゴール、シネオール、ハッカオイル、ペパーミントオイル、スペアーミントオイル、ユーカリプタスオイル、３−ｌ−メントキシプロパン−１，２−ジオール、Ｎ−アルキル−ｐ−メンタン−３−カルボキサミド、３−ｌ−メントキシ−２−メチルプロパン−１，２−ジオール、ｐ−メンタン−３，８−ジオール、２−ｌ−メントキシエタン−１−オール、３−ｌ−メントキシプロパン−１−オール、４−ｌ−メントキシブタン−１−オール（３−ヒドロキシブタン酸メンチル）、乳酸メンチル、メントールグリセリンケタール、Ｎ−メチル−２，２−イソプロピルメチル−３−メチルブタンアミド、グリオキシル酸メンチル、また、これら化合物を含有する植物抽出物等があげられる。
温感剤とは、皮膚に適用することで温感を付与する成分であり、カプサイシン、バニリルエチルエーテル、バニリルプロピルエーテル、バニリンプロピレングリコールアセタール、エチルバニリンプロピレングリコールアセタール、ギンゲロール、バニリルブチルエーテル、４−（ｌ−メントキシメチル）−２−（３’−メトキシ−４’−ヒドロキシフェニル）−１，３−ジオキソラン、トウガラシ油、トウガラシオレオレジン、ジンジャーオレオレジン、ノニル酸バニリルアミド、ジャンブーオレオレジン、サンショウエキス、サンショール−Ｉ、サンショール−ＩＩ、サンショウアミド、黒胡椒エキス、カビシン、ピペリン、およびスピラントール等があげられる。
これらの（Ｄ）成分は、１種単独でもよいし、２種以上の組み合わせでもよい。
【００３６】
粉末消臭剤組成物中の（Ｄ）成分の含有量は、粉末消臭剤組成物の総質量に対して、０．００１〜２０質量％が好ましく、０．００１〜１０質量％がより好ましく、０．０１〜１０質量％がさらに好ましい。（Ｄ）成分の含有量が上記下限値以上であれば、粉末消臭剤組成物の消臭効果をさらに高めたり、抗菌・除菌効果を付与したり、粉末消臭剤組成物で処理した処理対象物を着用した時に冷感や温感を感じることができる。（Ｄ）成分の含有量が上記上限値以下であれば、吸湿を抑え、固化をより良好に抑制できる。
（Ｄ）成分は、粉体、液体のいずれでもよい。粉末消臭剤組成物への配合のし易さ、また、（Ｄ）成分がメントールやカプサイシン等の冷感剤又は温感剤の場合、冷感・温感を感じるまでの速さの点で、粉体が好ましい。
（Ｄ）成分がメントールやカプサイシン等の冷感剤又は温感剤の場合、粉末消臭剤組成物は、粒子径の小さい粒子を一定量以上含むことで、粉末消臭剤組成物で処理した処理対象物を着用した時に冷感や温感を感じるまでの時間が短くなり、効果の即効性が付与される。
【００３７】
粉末消臭剤組成物は、粉末消臭剤組成物の総質量に対し、粒子径が５０μｍ以下の粒子を３０質量％以上含むことが好ましく、５０質量％以上がより好ましく、７０質量％以上がさらに好ましい。粉末消臭剤組成物は、組成物全体の体積に対し、粒子径が５０μｍ以下の粒子は１００質量％未満で含むことが好ましく、９０質量％以下がより好ましい。具体的には、粉末消臭剤組成物は、粉末消臭剤組成物の総質量に対し、粒子径が５０μｍ以下の粒子を３０質量以上１００質量％未満で含むことが好ましく、５０〜９０質量％で含むことがより好ましく、７０〜９０質量％で含むことがさらに好ましい。粒子径が５０μｍ以上の粒子が上記下限値以上であると、粉末消臭剤組成物の流動性を向上することで均一に広がりやすくなり、冷感や温感を均一に感じやすくなる。ここで粒子径及び特定の粒子径を有する粒子の量は、ＪＩＳ  Ｋ３３６２：２００８に準拠して、ふるい分け方によって測定できる。
【００３８】
メントールやカプサイシン等の冷感剤又は温感剤は皮膚に触れることで、冷感や温感を感じさせるものである。粉末消臭剤組成物が粒子径の小さい粒子を一定量以上含むことで、冷感剤又は温感剤が皮膚に触れやすくなり、冷感又は温感を感じるまでの時間が短くなり、即効性を向上しやすくなると考えられる。
【００３９】
香料としては、粉末香料又は液体香料のいずれでもよい。香料の成分は、所望する香気を勘案して適宜決定される。
粉末消臭剤組成物中の香料の含有量は、香料の種類や所望する香りの強さ等を勘案して適宜決定される。香料が液体香料の場合、粉末消臭剤組成物の総質量に対する液体香料の含有量は、０．０１〜５質量％が好ましく、０．１〜２質量％がより好ましい。
香料が粉末香料の場合、粉末消臭剤組成物の総質量に対する粉末香料の含有量は、０．０１〜１０質量％が好ましく、０．１〜５質量％がより好ましく、１〜５質量％がさらに好ましい。
【００４０】
（製造方法）
粉末消臭剤組成物は、例えば、以下の製造方法により得られる。
例えば、（Ａ）成分、（Ｂ）成分及び必要に応じて任意成分を粉体混合により混合する方法が挙げられる。この製造方法によれば、（Ａ）成分、（Ｂ）成分等の各成分が独立した粒子で混在する。
また、例えば、（Ａ）成分、（Ｂ）成分及び必要に応じて任意成分の一部又は全部を造粒する方法が挙げられる。造粒方法としては、特に限定されず、従来公知の流動層造粒、乾式造粒、湿式造粒等が挙げられる。この製造方法によれば、各成分の一部又は全部が混在した粒子を有する。
なお、（Ｄ）成分が液体である場合、（Ｄ）成分を噴霧することで、（Ｄ）成分を粉末消臭剤組成物に配合できる。
また、香料が液体である場合、香料を噴霧することで、香料を粉末消臭剤組成物に配合できる。
【００４１】
粉末消臭剤組成物は、容器に収容されて、粉末消臭剤組成物製品（すなわち、粉末消臭剤組成物、及び容器を有し、粉末消臭剤組成物が容器に収容された製品）となる。
容器としては、例えば、スタンディングパウチ、注出孔を有するボトル、広口瓶、缶等、粉体を収容する公知の容器が挙げられる。中でも、注出孔を有するボトルが好ましい。
容器の一例について、図面を参照して説明する。
図１の容器１は、容器本体１０と、蓋体２０とを有する。
容器本体１０は、有底円筒状の胴部１２と、胴部１２の上端から上方に向かい窄まる肩部１４と、肩部１４の上端から上方に延びる円筒状の口部１６とを有する。口部１６の上端には開口部１１が形成されている。口部１６の外周面には、ねじ山１９が形成されている。
蓋体２０は、中栓２２と、上蓋２４とを有する。中栓２２と上蓋２４とは、ヒンジ部２３で接続されている。上蓋２４は、ヒンジ部２３を軸にして、Ｆ方向に回動できる。
中栓２２は、円形の天壁部２１ａと、天壁部２１ａの周縁から下方に延びる円筒状の側壁部２１ｂとを有する。側壁部２１ｂの内面には、ねじ溝２９が形成されている。ねじ溝２９と、ねじ山１９とが螺合して、中栓２２が口部１６に装着されている。即ち、中栓２２は、開口部１１を塞いでいる。
天壁部２１ａの下面（即ち、容器本体１０の内部に向く面）には、円筒状の整流部２８が設けられている。
天壁部２１ａの上面には、円筒状の注出部２６が突き出している。注出部２６は、整流部２８の内方に位置している。注出部２６の内部は、注出孔（貫通孔）２７となっている。注出孔２７は、容器本体１０の内外を連通している。
上蓋２４の内面には、円柱状の突起部２５が設けられている。上蓋２４と中栓２２とを嵌め合わせた時に、突起部２５は注出孔２７に嵌め合わされる。
【００４２】
容器１の内容量は、特に限定されないが、５０〜２００ｍＬが好ましく、６０〜１００ｍＬがより好ましい。また、胴部１２の外径Ｒは、３０〜５０ｍｍが好ましく、３５〜４０ｍｍがより好ましい。このような大きさであれば、取り扱いが容易である。
【００４３】
注出孔２７の内径ｒは、１〜１０ｍｍが好ましく、２〜８ｍｍがより好ましく、３〜７ｍｍがさらに好ましい。内径ｒが上記範囲内であれば、適量の粉末消臭剤組成物を振り出しやすい。
【００４４】
容器本体１０の材料は、ポリエチレン、ポリプロピレン、ポリエチレンテレフタレート等の樹脂、ガラス、金属等が挙げられ、中でも、樹脂が好ましい。
蓋体２０の材質は、ポリエチレン、ポリプロピレン、ポリエチレンテレフタレート等の樹脂が挙げられる。
【００４５】
（使用方法）
粉体消臭剤組成物の使用方法は、処理対象物に粉体消臭剤組成物を散布する方法である。
なお、処理対象物としては、繊維製品、革製品、木製製品及び金属製品等が挙げられる。繊維製品としては、衣類、布巾、タオル類、シーツ等が挙げられる。革製品としては、合成皮革製品、天然皮革製品等が挙げられる。木製製品としては、天然木製品等が挙げられる。金属製品としては、ステンレス製品、アルミニウム製品等が挙げられる。
なかでも繊維製品及び革製品が好ましく、靴及び靴下がより好ましい。すなわち、本発明の粉体消臭剤組成物は、靴及び靴下用の粉体消臭剤組成物として有用である。
粉体消臭剤組成物の使用方法の一例について、上述の容器入り粉体消臭剤組成物を例にして、処理対象物が靴の場合の使用方法について説明する。
まず、上蓋２４を上方向に引き上げ、注出孔２７を露出させる。容器本体１０を把持し、容器１を倒立させて、注出孔２７を下方に向ける。注出孔２７を靴の内部、靴下の内部又は表面等の消臭対象物に向ける。容器１を倒立した状態で、容器１を上下に振り動かし、注出孔２７から内容物（粉体消臭剤組成物）を振り出し、粉体消臭剤組成物を消臭対象物に散布する。このように、容器本体１０内の粉末消臭剤組成物を注出孔２７から排出し、粉末消臭剤組成物を消臭対象に散布する。粉末消臭剤組成物を靴の内部に散布した場合には、靴に振動を与えて、粉末消臭剤組成物を靴の内部に広げることが好ましい。
消臭対象物に粉末消臭剤組成物を散布した直後から２４時間後において、消臭対象物を消臭する。
【００４６】
粉末消臭剤組成物の散布量は、消臭対象物の大きさ等を勘案して、適宜決定される。例えば、消臭対象物が靴であれば、片方の靴１つ当たり、０．１〜２ｇが好ましく、０．３〜１．５ｇがより好ましい。
【００４７】
上述の容器１の蓋体２０は、いわゆるヒンジキャップであるが、本発明はこれに限定されない。蓋体は、上蓋と中栓とが螺合するものでもよい。
上述の中栓２２は、突出した注出部２６を有するが、本発明はこれに限定されず、中栓に貫通孔が形成されていればよい。加えて、貫通孔は、１つでもよいし、２つ以上でもよい。
上述の実施形態では、粉末消臭剤組成物を容器から消臭対象物に対して直接散布しているが、本発明はこれに限定されない。容器から粉末消臭剤組成物をスプーンに取り出し、スプーンで消臭対象物に粉末消臭剤組成物を散布してもよい。
【実施例】
【００４８】
以下、実施例を示して本発明を詳細に説明するが、本発明は以下の記載によって限定されるものではない。【００４９】
（使用原料）
＜（Ａ）成分＞
Ａ１−１：タルク（ＭＳ−ＫＹ、日本タルク株式会社製、平均粒子径：２５μｍ）。
Ａ３−１：銀担持ゼオライト（ゼオミックＡＪ１０Ｎ、シナネンゼオミック株式会社製、平均粒子径：４μｍ）。
Ａ１−２  クラウンタルクＲＤ（松村産業株式会社、平均粒子径：５０μｍ）【００５０】
＜（Ｂ）成分＞
Ｂ−１：炭酸水素ナトリウム（重炭酸ナトリウム、東ソー株式会社、平均粒子径：２５０μｍ）。【００５１】
＜（Ｃ）成分＞
Ｃ−１：ハイドロタルサイト焼成物（酸化マグネシウムと酸化アルミニウム質量比の固溶体、ＫＷ−２０００、協和化学工業株式会社、化学組成：Ｍｇ０．７Ａｌ０．３Ｏ１．１５、平均粒子径：４０μｍ）。
＜（Ｄ）成分＞
Ｄ−１：高度分岐環状デキストリン（クラスターデキストリン、グリコ栄養食品株式会社製、平均粒子径：１００μｍ）。
Ｄ−２：ｌ−メントール（クラリアントジャパン、平均粒子径：３０μｍ（粉砕後））
＜香料＞
粉末香料（シトラスパウダーＬＡ−７８１０、長谷川香料株式会社、平均粒子径：４０μｍ）。【００５２】
（評価方法）
＜消臭効果＞
イソ吉草酸（疑似悪臭）０．０１質量％エタノール水溶液５００μＬを６ｃｍ×６ｃｍの綿布に滴下し、一晩ドラフト内で放置したものを消臭対象品とした。各例の粉末消臭剤組成物０．５ｇを消臭対象品に散布し、その直後と２４時間後に臭気強度の官能評価を行った。官能評価は、５名のパネルが下記の基準に基づき行った。５名の評価結果の平均値を求めた。
≪評価基準≫
０点：消臭効果が非常に高い。悪臭を全く感じない。
１点：消臭効果が高い。悪臭をほとんど感じない。
２点：消臭効果がやや高い。悪臭をやや感じる。
３点：消臭効果が低い。悪臭がほとんど低減しない。
４点：消臭効果が全くない。悪臭が低減しない。【００５３】
＜固化率＞
各例の粉末消臭剤組成物を密閉容器に入れ、これを４５℃８５％ＲＨで１６時間保管し、次いで２５℃６５ＲＨ％で８時間保管し、このサイクルを２１日間繰り返した。その後、粉末消臭剤組成物を目開き１．７ｍｍの篩に通し、篩上に残った粒子（固化粒子）の質量を測定した。篩に投入した粉末消臭剤組成物の質量で固化粒子の質量を除して、固化率（質量％）を算出した。求めた固化率を下記評価基準に従って評価した。
≪評価基準≫
Ａ：１質量％未満。
Ｂ：１％以上３％未満。
Ｄ：３％以上。【００５４】
＜流動性＞
シャーレの上に黒布（綿ブロード：直径６ｃｍの円形にカット）を乗せ、黒布の上に各例の粉末消臭剤組成物０．１７ｇを乗せた。シャーレを叩いて、黒布に振動を与え、粉末消臭剤組成物の広がり方を目視で観察した。観察結果を下記評価基準に分類し、流動性を評価した。
≪評価基準≫
Ａ：黒布全体に均一に広がる。
Ｂ：黒布の一部に広がらない部分がある。
Ｄ：黒布の一部にしか広がらない。【００５５】
＜嵩密度＞
嵩密度は、ＪＩＳ  Ｋ３３６２：１９９８に準拠して測定した。【００５６】
＜粒子径が５０μｍ以下の粒子の含有量＞
ＪＩＳ  Ｋ３３６２：２００８に準拠して、ふるい分け方によって測定した。【００５７】
＜即効性＞
靴の中に粉末消臭剤組成物を１ｇ入れ、靴をたたき、振動を与えることで粉末消臭剤組成物を靴の内側に均一に広げた。その後靴下（ユニクロ製、商品名「スーピマコットンカノコソックス」）を着用した足で靴を履き、靴を履いた瞬間から冷感を感じるまでの時間を計測した。試験はそれぞれ２回行い、計測結果の平均値を算出し、算出結果を以下の評価基準で評価した。
《評価基準》
Ａ：靴を履いた瞬間から１０分以内に冷感を感じる。
Ｂ：靴を履いた瞬間から３０分以内に冷感を感じる。
Ｃ：靴を履いた瞬間から１時間以内に冷感を感じる。
Ｄ：靴を履いた瞬間から冷感を感じるまで１時間以上かかるか、または冷感を感じない。
粉末消臭剤組成物の平均粒子径は、レーザ回折式粒度分布測定装置（ＢＥＣＫＭＡＮ  ＣＯＵＬＴＥＲ社製  ＬＳ  １３  ３２０）により測定される体積平均粒子径（Ｄ５０）であり、体積％は粒度分布より算出した。【００５８】
（実施例１〜１３、比較例１〜３）
表１に示す組成に従い、（Ａ）〜（Ｄ）成分及び香料を粉体で混合し、各例の粉末消臭剤組成物を得た。
各例の粉末消臭剤組成物ついて、消臭効果、固化率、流動性を評価し、その結果を表中に示す。【００５９】
【表１】
2019244928.tif 000003
【００６０】
【表２】
2019244928.tif 000004
【００６１】
表１に示すように、実施例１〜１３は、直後の消臭効果が、０．６〜１．８であり、２４時間後の消臭効果が０〜１．８であった。また、実施例１〜１３は、固化率が３％未満、流動性が「Ｂ」又は「Ａ」であった。
（Ｂ）成分を含有しない比較例１と、（Ａ）成分中のタルクが５０質量％未満である比較例３とは、流動性が「Ｄ」であった。（Ａ）成分がタルクを含まない比較例２は、固化率が「Ｄ」（１０％）であった。また、比較例１は、直後の消臭効果が２．８、２４時間後の消臭効果が２．４であった。
以上の結果から、本発明を適用することで、粉末消臭剤組成物を固化しにくくし、流動性に優れ、かつ消臭効果の向上を図れることを確認できた。
また、実施例１０〜１２は、粒子径が５０μｍ以下の粒子を３０質量％以上含むことにより、即効性が「Ａ」又は「Ｂ」であった。
【産業上の利用可能性】
【００６２】
本発明の粉末消臭剤組成物によれば、固化しにくく、流動性に優れ、かつ消臭効果をより高められる。
【符号の説明】
【００６３】
１  容器、１０  容器本体、１１  開口部、２０  蓋体、２２  中栓、２７  注出孔
【図１】
2019244928.tif 000005
【国際調査報告】
2019244928.tif 000006
2019244928.tif 000007
2019244928.tif 000008